(57)【特許請求の範囲】
【請求項１】
警備装置と、前記警備装置とネットワークで接続された監視センタを備えた監視システムにおいて、
前記警備装置は、
現在の警備状態として、警備領域内に人が存在していない旨を示す警備モード、警備領域内に人が存在している旨を示す警備解除モード、または、警備領域内の一部の領域に人が存在している旨を示す在宅警備モードのいずれかを記憶する警備状態記憶手段と、
外部から到達が予測された地震に関する情報である緊急地震速報を受信する地震速報受信手段と、
前記地震速報受信手段によって前記緊急地震速報を受信した時点で、前記警備状態記憶手段に記憶された現在の警備状態と前記警備領域を識別するための警備領域識別情報とを前記監視センタに送信する警備状態送信手段と、
センサから送出された検知領域での異常を示す検知情報と、前記センサを識別するセンサ識別情報とを受信する検知情報受信手段と、
前記検知情報受信手段によって受信された前記検知情報を記憶する第１の検知情報記憶手段と、
前記地震速報受信手段によって前記緊急地震速報を受信した時点で、前記第１の検知情報記憶手段に記憶された前記検知情報を前記監視センタに送信する検知情報送信手段と、
を備え、
前記監視センタは、
前記警備装置から送信された前記警備状態を受信する警備状態受信手段と、
前記警備状態受信手段によって受信された前記警備状態を記憶する警備状態記憶手段と、
前記警備装置から送信された前記検知情報を受信する検知情報受信手段と、
前記検知情報受信手段によって受信された前記検知情報を記憶する第２の検知情報記憶手段と、
前記警備状態、前記警備領域識別情報および前記検知情報に基づき、人命救助に係る情報を表示する表示手段と、
を備えることを特徴とする監視システム。
【請求項２】
警備装置と、前記警備装置とネットワークで接続された監視センタを備えた監視システムで実行される監視方法であって、
前記警備装置は、現在の警備状態として、警備領域内に人が存在していない旨を示す警備モード、警備領域内に人が存在している旨を示す警備解除モード、または、警備領域内の一部の領域に人が存在している旨を示す在宅警備モードのいずれかを記憶する警備状態記憶手段を備え、
前記警備装置の地震速報受信手段が、外部から到達が予測された地震に関する情報である緊急地震速報を受信する地震速報受信工程と、
前記警備装置の警備状態送信手段が、前記地震速報受信工程によって前記緊急地震速報を受信した時点で、前記警備状態記憶手段に記憶された現在の警備状態と前記警備領域を識別するための警備領域識別情報とを前記監視センタに送信する警備状態送信工程と、
前記警備装置の検知情報受信手段が、センサから送出された検知領域での異常を示す検知情報と、前記センサを識別するセンサ識別情報とを受信する検知情報受信工程と、
前記警備装置の第１の検知情報記憶手段が、前記検知情報受信手段によって受信された前記検知情報を記憶する第１の検知情報記憶工程と、
前記警備装置の検知情報送信手段が、前記地震速報受信手段によって前記緊急地震速報を受信した時点で、前記第１の検知情報記憶手段に記憶された前記検知情報を前記監視センタに送信する検知情報送信工程と、
前記監視センタの警備状態受信手段が、前記警備装置から送信された前記警備状態を受信する警備状態受信工程と、
前記監視センタの警備状態格納手段が、前記警備状態受信手段によって受信された前記警備状態を警備状態記憶手段に格納する警備状態格納工程と、
前記監視センタの検知情報受信手段が、前記警備装置から送信された前記検知情報を受信する検知情報受信工程と、
前記監視センタの第２お検知情報記憶手段が、前記検知情報受信手段によって受信された前記検知情報を記憶する第２の検知情報記憶工程と、
前記監視センタの表示手段が、前記警備状態、前記警備領域識別情報および前記検知情報に基づき、人命救助に係る情報を表示する表示工程と、
を含むことを特徴とする監視方法。
【発明の詳細な説明】
【技術分野】
【０００１】
本発明は、監視システム、警備装置、監視方法および警備方法に関する。
【背景技術】
【０００２】
従来、地震が発生した場合、エレベータは最寄階に緊急停止するため、既に無人となり通常は停止しない階に停止する場合がある。このような場合、エレベータに乗っていた人は停止した階で降りて、階段で逃げることになるが、無人となっている階は警備装置によって監視が行われているため、不審者が侵入したと判断されてしまうという問題があった。
【０００３】
このような問題を解決するものとして、遠隔警備システムを切り離す手段を具備したエレベータの制御装置が開示されている（特許文献１参照）。かかる制御装置では、通常停止しない階にエレベータが停止したことを検出した場合に、脱出ルートの照明を点灯し、脱出ルート上の遠隔警備システムを切り離すことにより、脱出者の安全を確保でき、かつ、不審者であるという誤報を防ぐことができる。
【０００４】
【特許文献１】特開平４−３２７４８０号公報
【発明の開示】
【発明が解決しようとする課題】
【０００５】
しかしながら、上記特許文献１に記載された技術では、エレベータが地震を検知して最寄階に移動できる場合は脱出が可能であるが、エレベータに閉じ込められ、地震で通信回線が切断されてしまった場合には、エレベータに閉じ込められていることを外部に連絡することもできないという問題があった。
【０００６】
また、近年気象庁から、地震発生直後に震源に近い観測計でとらえた観測データから推定した各地の主要な振動の到達時刻や震度を示す情報（緊急地震速報）が送信されるようになった。この緊急地震速報を用いて、地震が発生して通信回線が切断されたり、停電する前に、建物や住宅内での人の存在を確認するための情報を取得することが求められている。
【０００７】
本発明は、上記に鑑みてなされたものであって、地震が発生した際の警備領域での人の存在を確認するための情報を確実に取得することができる監視システム、警備装置、監視方法および警備方法を提供することを目的とする。
【課題を解決するための手段】
【００１３】
上述した課題を解決し、目的を達成するために、請求項１にかかる発明は、警備装置と、前記警備装置とネットワークで接続された監視センタを備えた監視システムにおいて、前記警備装置は、現在の警備状態として、警備領域内に人が存在していない旨を示す警備モード、警備領域内に人が存在している旨を示す警備解除モード、または、警備領域内の一部の領域に人が存在している旨を示す在宅警備モードのいずれかを記憶する警備状態記憶手段と、外部から到達が予測された地震に関する情報である緊急地震速報を受信する地震速報受信手段と、前記地震速報受信手段によって前記緊急地震速報を受信した時点で、前記警備状態記憶手段に記憶された現在の警備状態と前記警備領域を識別するための警備領域識別情報とを前記監視センタに送信する警備状態送信手段と、センサから送出された検知領域での異常を示す検知情報と、前記センサを識別するセンサ識別情報とを受信する検知情報受信手段と、前記検知情報受信手段によって受信された前記検知情報を記憶する第１の検知情報記憶手段と、前記地震速報受信手段によって前記緊急地震速報を受信した時点で、前記第１の検知情報記憶手段に記憶された前記検知情報を前記監視センタに送信する検知情報送信手段と、を備え、前記監視センタは、前記警備装置から送信された前記警備状態を受信する警備状態受信手段と、前記警備状態受信手段によって受信された前記警備状態を記憶する警備状態記憶手段と、前記警備装置から送信された前記検知情報を受信する検知情報受信手段と、前記検知情報受信手段によって受信された前記検知情報を記憶する第２の検知情報記憶手段と、前記警備状態、前記警備領域識別情報および前記検知情報に基づき、人命救助に係る情報を表示する表示手段と、を備えることを特徴とする。
【００２２】
また、請求項２にかかる発明は、警備装置と、前記警備装置とネットワークで接続された監視センタを備えた監視システムで実行される監視方法であって、前記警備装置は、現在の警備状態として、警備領域内に人が存在していない旨を示す警備モード、警備領域内に人が存在している旨を示す警備解除モード、または、警備領域内の一部の領域に人が存在している旨を示す在宅警備モードのいずれかを記憶する警備状態記憶手段、を備え、前記警備装置の地震速報受信手段が、外部から到達が予測された地震に関する情報である緊急地震速報を受信する地震速報受信工程と、前記警備装置の警備状態送信手段が、前記地震速報受信工程によって前記緊急地震速報を受信した時点で、前記警備状態記憶手段に記憶された現在の警備状態と前記警備領域を識別するための警備領域識別情報とを前記監視センタに送信する警備状態送信工程と、前記警備装置の検知情報受信手段が、センサから送出された検知領域での異常を示す検知情報と、前記センサを識別するセンサ識別情報とを受信する検知情報受信工程と、前記警備装置の第１の検知情報記憶手段が、前記検知情報受信手段によって受信された前記検知情報を記憶する第１の検知情報記憶工程と、前記警備装置の検知情報送信手段が、前記地震速報受信手段によって前記緊急地震速報を受信した時点で、前記第１の検知情報記憶手段に記憶された前記検知情報を前記監視センタに送信する検知情報送信工程と、前記監視センタの警備状態受信手段が、前記警備装置から送信された前記警備状態を受信する警備状態受信工程と、前記監視センタの警備状態格納手段が、前記警備状態受信手段によって受信された前記警備状態を警備状態記憶手段に格納する警備状態格納工程と、前記監視センタの検知情報受信手段が、前記警備装置から送信された前記検知情報を受信する検知情報受信工程と、前記監視センタの第２お検知情報記憶手段が、前記検知情報受信手段によって受信された前記検知情報を記憶する第２の検知情報記憶工程と、前記監視センタの表示手段が、前記警備情報、前記警備領域識別情報および前記検知情報に基づき、人命救助に係る情報を表示する表示工程と、を含むことを特徴とする。
【発明の効果】
【００２５】
本発明によれば、緊急地震速報を受信した時点で、警備領域内の画像情報を監視センタに送信することができるため、地震が発生した際の警備領域での人の存在を確認するための情報を確実に取得することができるという効果を奏する。
【００２６】
また、本発明によれば、緊急地震速報を受信した時点で、入退室が管理されている部屋の入退室情報を監視センタに送信することができるため、地震が発生した際の警備領域での人の存在を確認するための情報を確実に取得することができるという効果を奏する。
【００２７】
また、本発明によれば、緊急地震速報を受信した時点で、警備領域の警備状態を監視センタに送信することができるため、地震が発生した際の警備領域での人の存在を確認するための情報を確実に取得することができるという効果を奏する。
【発明を実施するための最良の形態】
【００２８】
以下に添付図面を参照して、本発明にかかる監視システム、警備装置、監視方法および警備方法の最良な実施の形態を詳細に説明する。なお、本発明はこれらの実施の形態に限定されるものではない。
【００２９】
（第１の実施の形態）
第１の実施の形態について、添付図面を参照して説明する。まず、本発明が適用される監視システムの構成例について説明する。
【００３０】
図１は、第１の実施の形態にかかる監視システムの構成を示すブロック図である。監視システム１０は、画像制御装置１００と監視センタ２００とを備えている。画像制御装置１００と監視センタ２００は、電話回線、無線ネットワーク、インターネットなどのネットワーク４００を介して接続されている。なお、ネットワーク４００には、サーバ装置３００が接続され、サーバ装置３００から緊急地震速報が送信される。
【００３１】
本実施の形態にかかる画像制御装置１００は、監視領域に設置されている１または複数の監視カメラ１１０と有線または無線で通信する。画像制御装置１００は、画像情報受信部１２１と、画像情報記憶部１２２と、送信判定部１２３と、差分画像生成部１２４と、サムネイル画像生成部１２５と、送受信部１２６とを備えている。
【００３２】
画像情報受信部１２１は、監視カメラ１１０によって撮像された画像情報を受信する。なお、画像情報には、監視カメラを識別する監視カメラＩＤを含む。画像情報記憶部１２２は、画像情報受信部１２１によって受信された画像情報を記憶する。
【００３３】
送信判定部１２３は、送受信部１２６によって受信した緊急地震速報に含まれる予測震度が予め定められた震度以上であるか否かによって画像情報を監視センタ２００に送信するか否かを判定する。
【００３４】
差分画像生成部１２４は、画像情報受信部１２１によって受信された画像情報と、画像情報記憶部１２２に記憶されている、所定時間前（例えば５秒前）に撮像された画像情報と画素値の差分値を示す差分画像情報を生成する。差分画像情報では、移動体が大きな差分値を採る領域として表現されるため、移動体の大きさや形状から人体か否かを推測することができる。なお、差分画像情報を得るための画像処理は比較的簡単な処理であり、高速処理が可能であり、かつ機器を安価に構成できる。
【００３５】
サムネイル画像生成部１２５は、複数の監視カメラ１１０が設置されている場合、画像情報受信部１２１によって受信された複数枚の画像情報を１枚の画像情報に編集したサムネイル画像情報を生成する。サムネイル画像情報を生成することにより、複数枚の画像情報を１枚の画像情報に集約することができるため、画像情報のデータ量を圧縮することができる。よって、１拠点あたりの画像送信に必要な時間を短縮でき、多数の拠点から画像情報を送信する場合でも、より多くの拠点に対応できる。
【００３６】
送受信部１２６は、監視センタ２００、サーバ装置３００とネットワーク４００を介して各種情報を送受信する。送受信部１２６は、サーバ装置３００から緊急地震速報を受信する。また、送受信部１２６は、緊急地震速報に応じて画像情報を監視センタ２００に送信する。
【００３７】
次に、監視センタ２００について説明する。監視センタ２００は、送受信部２０１と、画像情報記憶部２０２と、操作表示制御部２０３と、操作表示部２０４とを備えている。
【００３８】
送受信部２０１は、画像制御装置１００とネットワーク４００を介して各種情報を送受信する。送受信部２０１は、画像制御装置１００から送信された画像情報を受信する。画像情報記憶部２０２は、送受信部２０１によって受信された画像情報を記憶する。
【００３９】
操作表示制御部２０３は、操作表示部２０４への表示情報の出力および操作表示部２０４からの情報の入力等の操作表示部２０４に対する制御を行う。操作表示部２０４は、具体的には表示モニタやキーボード、マウス等の入出力装置であり、ユーザの指示により、画像情報記憶部２０２に記憶された画像情報を表示する。
【００４０】
次に、上述したように構成されている監視システム１０による画像情報送信処理について説明する。図２は、画像制御装置１００と監視センタ２００が行う画像情報送信処理手順を示すフローチャートである。
【００４１】
まず、画像制御装置１００において、画像情報受信部１２１は監視カメラ１１０から送信される画像情報を受信する（ステップＳ２０１）。送受信部１２６は、緊急地震速報を受信したか否かを判断する（ステップＳ２０２）。緊急地震速報を受信していないと判断した場合は（ステップＳ２０２：Ｎｏ）、ステップＳ２０１に戻る。
【００４２】
緊急地震速報を受信したと判断した場合は（ステップＳ２０２：Ｙｅｓ）、送信判定部１２３は緊急地震速報に含まれる予測震度が所定の震度以上であるか否かを判断する（ステップＳ２０３）。予測震度が所定の震度以上でないと判断した場合は（ステップＳ２０３：Ｎｏ）、ステップＳ２０１に戻る。予測震度が所定の震度以上であると判断した場合は（ステップＳ２０３：Ｙｅｓ）、送受信部１２６は画像情報を監視センタ２００に送信する（ステップＳ２０４）。
【００４３】
監視センタ２００において、送受信部２０１は、画像制御装置１００から送信された画像情報を受信する（ステップＳ２０５）。送受信部２０１は、画像情報を画像情報記憶部２０２に格納する（ステップＳ２０６）。
【００４４】
このように、緊急地震速報を受信した時点で、監視領域を撮像した画像情報を監視センタに送信することにより、実際に地震が到達して通信回線が切断されたり、建物が倒壊して画像制御装置が破損した場合であっても、監視センタにおいて監視領域の画像情報を確認することができるため、建物内の人が存在していたか否か、また、監視領域での人が居た位置を確認することができ、人命救助における有効な情報を提供することができる。
【００４５】
なお、画像制御装置１００から監視センタ２００に送信する画像情報には、ネットワーク４００に複数の画像制御装置１００が接続されている場合に、いずれの画像制御装置から送信されたかを識別するために画像制御装置を識別する画像制御装置ＩＤを含める。また、画像情報には、さらに画像情報が撮像された撮像時刻を含めて送信するようにしてもよい。
【００４６】
また、他の例として、画像情報に代えて差分画像情報を送信する場合について説明する。図３は、画像制御装置１００と監視センタ２００が行う差分画像情報送信処理手順を示すフローチャートである。
【００４７】
まず、画像制御装置１００において、画像情報受信部１２１は監視カメラ１１０から送信される画像情報を受信する（ステップＳ３０１）。画像情報受信部１２１は、画像情報を画像情報記憶部１２２に格納する（ステップＳ３０２）。差分画像生成部１２４は、画像情報記憶部１２２から所定時間前の画像情報を取得する（ステップＳ３０３）。差分画像生成部１２４は、受信した画像情報と取得した画像情報から差分画像情報を生成する（ステップＳ３０４）。具体的には、画像情報間の画素値の差分を算出し、算出された差分値から差分画像情報を生成する。これにより、画像情報間で移動体のみが差分値が大きな値として示されるため、移動体を容易に判別することができる。
【００４８】
送受信部１２６は、緊急地震速報を受信したか否かを判断する（ステップＳ３０５）。緊急地震速報を受信していないと判断した場合は（ステップＳ３０５：Ｎｏ）、ステップＳ３０１に戻る。緊急地震速報を受信したと判断した場合は（ステップＳ３０５：Ｙｅｓ）、送信判定部１２３は緊急地震速報に含まれる予測震度が所定の震度以上であるか否かを判断する（ステップＳ３０６）。予測震度が所定の震度以上でないと判断した場合は（ステップＳ３０６：Ｎｏ）、ステップＳ３０１に戻る。予測震度が所定の震度以上であると判断した場合は（ステップＳ３０６：Ｙｅｓ）、送受信部１２６は生成した差分画像情報を監視センタ２００に送信する（ステップＳ３０７）。
【００４９】
監視センタ２００において、送受信部２０１は、画像制御装置１００から送信された差分画像情報を受信する（ステップＳ３０８）。送受信部２０１は、差分画像情報を画像情報記憶部２０２に格納する（ステップＳ３０９）。
【００５０】
このように、所定時間ごとに差分画像情報を生成し、緊急地震速報が送信された時点で、監視センタに送信することにより、上述した画像情報を送信した場合の効果に加え、差分画像情報であるため、移動体を容易に判別することができる。
【００５１】
さらに、他の例として、画像情報、差分画像情報に代えてサムネイル画像情報を送信する場合について説明する。図４は、画像制御装置１００と監視センタ２００が行うサムネイル画像情報送信処理手順を示すフローチャートである。
【００５２】
まず、画像制御装置１００において、画像情報受信部１２１は複数の監視カメラ１１０から送信される画像情報を受信する（ステップＳ４０１）。サムネイル画像生成部１２５は、受信した複数の画像情報からサムネイル画像情報を生成する（ステップＳ４０２）。
【００５３】
送受信部１２６は、緊急地震速報を受信したか否かを判断する（ステップＳ４０３）。緊急地震速報を受信していないと判断した場合は（ステップ４０３：Ｎｏ）、ステップＳ４０１に戻る。緊急地震速報を受信したと判断した場合は（ステップＳ４０３：Ｙｅｓ）、送信判定部１２３は緊急地震速報に含まれる予測震度が所定の震度以上であるか否かを判断する（ステップＳ４０４）。予測震度が所定の震度以上でないと判断した場合は（ステップＳ４０４：Ｎｏ）、ステップＳ４０１に戻る。予測震度が所定の震度以上であると判断した場合は（ステップＳ４０４：Ｙｅｓ）、送受信部１２６は生成したサムネイル画像情報を監視センタ２００に送信する（ステップＳ４０５）。
【００５４】
監視センタ２００において、送受信部２０１は、画像制御装置１００から送信されたサムネイル画像情報を受信する（ステップＳ４０６）。送受信部２０１は、サムネイル画像情報を画像情報記憶部２０２に格納する（ステップＳ４０７）。
【００５５】
このように、複数の画像情報からサムネイル画像情報を生成し、緊急地震速報が送信された時点で、監視センタに送信することにより、上述した画像情報を送信した場合の効果に加え、サムネイル画像情報であるため、１枚の画像情報のデータ量で複数の画像情報を送信することができ、通信回線の負荷を軽減することができる。また、サムネイル画像を利用しないで送信する場合と比較して、１拠点あたりの画像送信に必要な時間を短縮でき、多数の拠点から画像情報を送信する場合でも、より多くの拠点に対応できる。
【００５６】
（第２の実施の形態）
第２の実施の形態について、添付図面を参照して説明する。本発明が適用される監視システムの構成例について、第１の実施の形態と異なる部分を説明する。他の部分については第１の実施の形態と同様であるので、上述した説明を参照し、ここでの説明を省略する。
【００５７】
図５は、第２の実施の形態にかかる監視システムの構成を示すブロック図である。監視システム２０は、入退室管理装置５００と監視センタ６００とを備えている。入退室管理装置５００と監視センタ６００は、ネットワーク４００を介して接続されている。なお、ネットワーク４００には、サーバ装置３００が接続され、サーバ装置３００から緊急地震速報が送信される。
【００５８】
本実施の形態にかかる入退室管理装置５００は、入退室を管理する部屋の出入り口に設置されている１または複数のカードリーダ５１０と有線または無線で通信する。入退室管理装置５００は、入退室情報受信部５２１と、入退室情報記憶部５２２と、送信判定部１２３と、滞在人数算出部５２４と、送受信部１２６とを備えている。ここで、送信判定部１２３と、送受信部１２６の構成、機能は、第１の実施の形態とほぼ同様であるので、説明を省略する。
【００５９】
入退室情報受信部５２１は、カードリーダ５１０から送信された入退室情報を受信する。ここで、入退室情報とは、カードリーダ５１０に利用者が所持するＩＣカードを読ませたときの読込み時刻、入室または退室した利用者を識別する利用者ＩＤ、出入り口を識別する出入り口ＩＤ、警備領域である部屋を識別する部屋ＩＤ等である。入退室情報記憶部５２２は、入退室情報受信部５２１によって受信された入退室情報を記憶する。
【００６０】
滞在人数算出部５２４は、入退室情報記憶部５２２に記憶された入退室情報から入退室を管理している部屋ごとに滞在している人数を算出する。なお、カードリーダ５１０が部屋の外側に設置され、入室情報のみを記憶している場合には、認証を行った人数を算出してもよい。
【００６１】
また、監視センタ６００は、送受信部２０１と、入退室情報記憶部６０２と、操作表示制御部２０３と、操作表示部２０４とを備えている。ここで、送受信部２０１と、操作表示制御部２０３と、操作表示部２０４の構成、機能は、第１の実施の形態とほぼ同様であるので、説明を省略する。
【００６２】
入退室情報記憶部６０２は、送受信部２０１によって受信された入退室情報を記憶する。
【００６３】
次に、上述したように構成されている監視システム２０による入退室情報送信処理について説明する。図６は、入退室管理装置５００、監視センタ６００が行う入退室情報送信処理手順を示すフローチャートである。
【００６４】
まず、入退室管理装置５００において、入退室情報受信部５２１はカードリーダ５１０から送信される入退室情報を受信する（ステップＳ６０１）。入退室情報受信部５２１は、入退室情報を入退室情報記憶部５２２に格納する（ステップＳ６０２）。送受信部１２６は、緊急地震速報を受信したか否かを判断する（ステップＳ６０３）。緊急地震速報を受信していないと判断した場合は（ステップＳ６０３：Ｎｏ）、ステップＳ６０１に戻る。
【００６５】
緊急地震速報を受信したと判断した場合は（ステップＳ６０３：Ｙｅｓ）、送信判定部１２３は緊急地震速報に含まれる予測震度が所定の震度以上であるか否かを判断する（ステップＳ６０４）。予測震度が所定の震度以上でないと判断した場合は（ステップＳ６０４：Ｎｏ）、ステップＳ６０１に戻る。
【００６６】
予測震度が所定の震度以上であると判断した場合は（ステップＳ６０４：Ｙｅｓ）、送信判定部１２３は入退室情報記憶部５２２から入退室情報を取得する（ステップＳ６０５）。送受信部１２６は入退室情報を監視センタ６００に送信する（ステップＳ６０６）。
【００６７】
監視センタ６００において、送受信部２０１は、入退室管理装置５００から送信された入退室情報を受信する（ステップＳ６０７）。送受信部２０１は、入退室情報を入退室情報記憶部６０２に格納する（ステップＳ６０８）。
【００６８】
このように、緊急地震速報を受信した時点で、入退室情報を監視センタに送信することにより、実際に地震が到達して通信回線が切断されたり、建物が倒壊して入室管理装置が破損した場合であっても、監視センタにおいて入退室情報を確認することができるため、部屋に人が存在していたか否かを確認することができ、人命救助における有効な情報を提供することができる。
【００６９】
なお、上述した実施の形態で、入退室情報に代えて、滞在人数算出部５２４によって部屋ごとの滞在人数を算出し、算出された部屋ごとの滞在人数を送信してもよい。これにより、通信データ量が減少し、通信回線の負荷を軽減することができる。また、１拠点あたりの画像送信に必要な時間を短縮でき、多数の拠点から画像情報を送信する場合でも、より多くの拠点に対応できる。
【００７０】
また、入退室管理装置５００から監視センタ６００に送信する入退室情報には、ネットワーク４００に複数の入退室管理装置５００が接続されている場合に、いずれの入退室管理装置から送信されたかを識別するために入退室管理装置を識別する入退室管理装置ＩＤを含める。
【００７１】
（第３の実施の形態）
第３の実施の形態について、添付図面を参照して説明する。本発明が適用される監視システムの構成例について、第１の実施の形態と異なる部分を説明する。他の部分については第１の実施の形態と同様であるので、上述した説明を参照し、ここでの説明を省略する。
【００７２】
図７は、第３の実施の形態にかかる監視システムの構成を示すブロック図である。監視システム３０は、警備装置７００と監視センタ８００とを備えている。警備装置７００と監視センタ８００は、ネットワーク４００を介して接続されている。なお、ネットワーク４００には、サーバ装置３００が接続され、サーバ装置３００から緊急地震速報が送信される。
【００７３】
本実施の形態にかかる警備装置７００は、検知領域での異常を検知するセンサ７１０と有線または無線で通信する。センサ７１０は、例えば赤外線の受光量の変化をもとに人を検知する赤外線センサ、赤外線などが遮られることで人を検知する遮断センサ、電磁波の乱れで人を検知する気配センサ、マグネットにより扉の開閉を検出するマグネットセンサなどの警備領域の異常を検出する各種センサである。
【００７４】
警備装置７００は、検知情報受信部７２１と、検知情報記憶部７２２と、送信判定部１２３と、送受信部１２６と、警備状態記憶部７２７と、操作パネル制御部７２８と、操作パネル部７２９と、表示灯制御部７３１と、表示灯７３２とを備えている。ここで、送信判定部１２３と、送受信部１２６の構成、機能は、第１の実施の形態とほぼ同様であるので、説明を省略する。
【００７５】
検知情報受信部７２１は、センサ７１０が異常を検知した際に送出する検知情報を受信する。ここで、検知情報とは、異常を検知した旨を示す情報と、異常を検知したセンサを識別するセンサＩＤである。検知情報記憶部７２２は、検知情報受信部７２１によって受信された検知情報を記憶する。なお、検知情報記憶部７２２は、すべての検知情報を記憶するのではなく、センサＩＤと、検知回数または所定時間内に異常を検知した頻度とを記憶するようにしてもよい。
【００７６】
警備状態記憶部７２７は、現在の警備装置７００の警備状態を記憶する。具体的には、操作パネル制御部７２８によって取得された警備状態を記憶する。設定可能な警備状態には、大別して警備モードと警備解除モードと在宅警備モードとがある。警備モードとは、センサ７１０から検知情報を受信した場合に、警備領域での異常を知らせる警報情報をネットワーク４００で接続されている監視センタ８００に送信する状態をいう。すなわち、警備状態記憶部７２７に警備モードが記憶されている場合とは、警備領域内に住人や社員というような滞在が予定されている人が存在しない状態を示している。
【００７７】
また、警備解除モードとは、上記検知情報を取得した場合でも異常を知らせる警報情報を監視センタ８００に送信しない状態をいう。すなわち、警備状態記憶部７２７に警備解除モードが記憶されている場合とは、警備領域内に住人や社員というような滞在が予定されている人が存在している状態を示している。
【００７８】
また、在宅警備モードとは、主に住戸において家人が在宅中に警備を必要とする場合に設定する警備モードであり、警備領域内の一部である領域（例えば居間や寝室等の部屋）ごとに警備するか否かを設定することができる。警備が設定されている部屋においてセンサ７１０が異常を検知した場合は、操作パネル部７２９が備えるスピーカから異常を報知する状態である。すなわち、警備状態記憶部７２７に在宅警備モードが記憶されている場合とは、警備領域内の一部の領域に住人や社員というような滞在が予定されている人が存在している状態を示している。なお、在宅警備モードの場合は、さらに部屋を識別する部屋ＩＤそれぞれについての警備状態であるか否かの情報を記憶する。
【００７９】
操作パネル部７２９は、警備装置７００に関する情報の表示、音声の出力や警備装置７００に対する情報の入力が行われる。操作パネル７２９では、例えば操作パネル７２９に表示されたボタンを押下することによって警備状態が入力される。操作パネル制御部７２８は、操作パネル７２９に対して表示情報や音声を出力する、および操作パネル７２９から入力された入力情報を取得する等の操作パネル７２９に対する制御を行う。
【００８０】
表示灯制御部７３１は、表示灯７３２の点灯、点滅、消灯を制御する。表示灯７３２は、敷地の入り口付近や玄関付近に設置され、監視センタ８００に警報情報を送信した場合に異常が発生していることを報知する。また、緊急地震速報が送信された際には、監視領域内に人が存在していることを報知する。
【００８１】
送受信部１２６は、上述した機能、構成に加え、検知情報受信部７２１がセンサ７１０からの検知情報を受信した場合で、かつ警備状態記憶部７２７に記憶された現在の警備状態に“警備モード”が記憶されている場合に、警報情報と警備装置７００を識別する警備装置ＩＤとを監視センタ８００に送信する。
【００８２】
また、監視センタ８００は、送受信部２０１と、警備状態記憶部８０２と、検知情報記憶部８０５と、操作表示制御部２０３と、操作表示部２０４とを備えている。ここで、送受信部２０１と、操作表示制御部２０３と、操作表示部２０４の構成、機能は、第１の実施の形態とほぼ同様であるので、説明を省略する。
【００８３】
警備状態記憶部８０２は、送受信部２０１によって受信された警備状態情報を記憶する。具体的には、警備状態記憶部８０２は、警備装置ＩＤと、警備モード、警備解除モードまたは在宅警備モードのいずれかを記憶する。なお、在宅警備モードの場合は、さらに部屋を識別する部屋ＩＤそれぞれについての警備状態であるか否かの情報を記憶する。
【００８４】
検知情報記憶部８０５は、送受信部２０１によって受信された検知情報を記憶する。上述したように、検知情報に代えて、送受信部２０１によって受信されたセンサＩＤと、検知回数または検知頻度などのような検知情報を集約した情報であってもよい。
【００８５】
次に、上述したように構成されている監視システム３０による警備状態・検知情報送信処理について説明する。図８は、警備装置７００と監視センタ８００が行う警備状態・検知情報送信処理手順を示すフローチャートである。
【００８６】
まず、警備装置７００において、検知情報受信部７２１はセンサ７１０から送信される検知情報を受信する（ステップＳ８０１）。検知情報受信部７２１は、検知情報を検知情報記憶部７２２に格納する（ステップＳ８０２）。送受信部１２６は、緊急地震速報を受信したか否かを判断する（ステップＳ８０３）。緊急地震速報を受信していないと判断した場合は（ステップＳ８０３：Ｎｏ）、ステップＳ８０１に戻る。
【００８７】
緊急地震速報を受信したと判断した場合は（ステップＳ８０３：Ｙｅｓ）、送信判定部１２３は緊急地震速報に含まれる予測震度が所定の震度以上であるか否かを判断する（ステップＳ８０４）。予測震度が所定の震度以上でないと判断した場合は（ステップＳ８０４：Ｎｏ）、ステップＳ８０１に戻る。
【００８８】
予測震度が所定の震度以上であると判断した場合は（ステップＳ８０４：Ｙｅｓ）、送信判定部１２３は検知情報記憶部７２２から検知情報を取得する（ステップＳ８０５）。送信判定部１２３は、警備状態記憶部７２７から現在の警備状態を取得する（ステップＳ８０６）。送受信部１２６は、検知情報と警備状態を監視センタ８００に送信する（ステップＳ８０７）。
【００８９】
監視センタ８００において、送受信部２０１は、警備装置７００から送信された検知情報と警備状態を受信する（ステップＳ８０８）。送受信部２０１は、検知情報を検知情報記憶部８０５に格納し、警備状態を警備状態記憶部８０２に格納する（ステップＳ８０９）。
【００９０】
警備装置７００において、現在の警備状態が警備解除モードまたは在宅警備モードであるか否かを判断する（ステップＳ８１０）。現在の警備状態が警備解除モードまたは在宅警備モードであると判断した場合は（ステップＳ８１０：Ｙｅｓ）、表示灯制御部７３１は表示灯７３２を点灯する（ステップＳ８１１）。
【００９１】
このように、緊急地震速報を受信した時点で、警備状態を監視センタに送信することにより、実際に地震が到達して通信回線が切断されたり、建物が倒壊して画像制御装置が破損した場合であっても、監視センタにおいて警備領域の警備状態を確認することができるため、建物内の人が存在していたか否かを確認することができる。また、警備状態が在宅警備モードの場合は、部屋ＩＤそれぞれに警備しているか否かの情報が得られるため、人が居た可能性が高い部屋を特定することができ、人命救助における有効な情報を提供することができる。
【００９２】
さらに、緊急地震速報を受信した時点で、検知情報を監視センタに送信することにより、警備領域内で実際の人を検知した領域を特定することができ、より有効な情報を提供することができる。
【００９３】
また、緊急地震速報を受信した時点で、現在の警備状態が警備解除モードか在宅警備モードに設定されている場合に表示灯を点灯させることにより、警備領域内に人が存在していることを外部に報知することができるため、外部からの救助を得やすくなる。
【００９４】
なお、警備装置７００から監視センタ８００に送信する警備状態または検知情報には、ネットワーク４００に複数の警備装置７００が接続されている場合に、いずれの警備装置から送信されたかを識別するために警備装置を識別する警備装置ＩＤを含める。
【００９５】
（第４の実施の形態）
第４の実施の形態について、添付図面を参照して説明する。本発明が適用される監視システムの構成例について、第３の実施の形態と異なる部分を説明する。他の部分については第３の実施の形態と同様であるので、上述した説明を参照し、ここでの説明を省略する。
【００９６】
図９は、第４の実施の形態にかかる監視システムの構成を示すブロック図である。監視システム４０は、警備装置９００と監視センタ１０００とを備えている。警備装置９００と監視センタ１０００は、ネットワーク４００を介して接続されている。なお、ネットワーク４００には、サーバ装置３００が接続され、サーバ装置３００から緊急地震速報が送信される。
【００９７】
本実施の形態にかかる警備装置９００は、入退室を管理する部屋の出入り口に設置されている１または複数の電気錠９１０と通信線で接続されている。また、警備装置９００は、構内に設置されている１または複数の照明９２０と通信線で接続されている。
【００９８】
警備装置９００は、電気錠制御部９３１と、照明制御部９３２と、判定部９３３と、警備状態記憶部９２７と、避難経路記憶部９３０と、操作パネル制御部７２８と、操作パネル部７２９と、送受信部１２６とを備えている。ここで、操作パネル制御部７２８と、操作パネル部７２９と、送受信部１２６との構成、機能は、第１の実施の形態とほぼ同様であるので、説明を省略する。
【００９９】
電気錠制御部９３１は、電気錠９１０の施錠または解錠を制御する。照明制御部９３２は、照明９２０の点灯または消灯を制御する。
【０１００】
判定部９３３は、送受信部１２６によって受信した緊急地震速報に含まれる予測震度が予め定められた震度以上であるか否かによって電気錠９１０や照明９２０を制御するか否かを判定する。
【０１０１】
警備状態記憶部９２７は、警備領域ごとの警備状態を格納する。図１０は、警備状態記憶部９２７のデータ構成の一例を示す説明図である。警備状態記憶部９２７は、警備領域ＩＤと、警備状態とを対応付けて記憶している。本実施の形態では、警備状態として警備モードまたは警備解除モードのいずれかを格納する。
【０１０２】
避難経路記憶部９３０は、ある警備領域から外部に避難する際に避難経路に関する情報を格納する。図１１は、避難経路記憶部９３０のデータ構成の一例を示す説明図である。避難経路記憶部９３０は、警備領域ＩＤと、電気錠ＩＤと、照明ＩＤとを対応付けて記憶する。例えば、警備領域ＩＤ“Ｋ００１”から外部に避難する際には、電気錠ＩＤ“Ｄ００１，Ｄ００２，Ｄ００３”が示す電気錠９１０を解錠し、照明ＩＤ“Ｓ００２，Ｓ００５，Ｓ００７”が示す照明９２０を点灯することによって、建物の外部へ避難することができる。
【０１０３】
次に、上述したように構成されている警備装置９００による避難経路確保処理について説明する。図１２は、警備装置９００が行う避難経路確保処理手順を示すフローチャートである。
【０１０４】
まず、警備装置９００において、送受信部１２６は、緊急地震速報を受信したか否かを判断する（ステップＳ１２０１）。緊急地震速報を受信していないと判断した場合は（ステップＳ１２０１：Ｎｏ）、ステップＳ１２０１に戻る。緊急地震速報を受信したと判断した場合は（ステップＳ１２０１：Ｙｅｓ）、判定部９３３は緊急地震速報に含まれる予測震度が所定の震度以上であるか否かを判断する（ステップＳ１２０２）。予測震度が所定の震度以上でないと判断した場合は（ステップＳ１２０２：Ｎｏ）、ステップＳ１２０１に戻る。
【０１０５】
予測震度が所定の震度以上であると判断した場合は（ステップＳ１２０２：Ｙｅｓ）、判定部９３３は警備状態記憶部９２７から現在の警備状態が“警備解除モード”である警備領域ＩＤを取得する（ステップＳ１２０３）。判定部９３３は、避難経路記憶部９３０から取得された警備領域ＩＤに対応する電気錠ＩＤ、照明ＩＤを取得する（ステップＳ１２０４）。
【０１０６】
電気錠制御部９３１は、電気錠ＩＤに対応する電気錠を解錠する（ステップＳ１２０５）。照明制御部９３２は、照明ＩＤに対応する照明を点灯する（ステップＳ１２０６）。
【０１０７】
このように、緊急地震速報を受信した時点で、警備状態が警備解除モードになっている警備領域、すなわち人が存在している警備領域からの避難経路に設置されている電気錠については、電気錠を解錠して避難経路を確保することができ、認証等を行う必要がなくなるため、速やかな避難を行うことができる。
【０１０８】
また、緊急地震速報を受信した時点で、警備状態が警備モードである警備領域、すなわち人が存在しない警備領域については電気錠を解錠しないことにより、不必要な警備領域の電気錠を解錠することがなく、防犯性を維持することができる。
【０１０９】
また、取り残された人を捜索する際に、電気錠が解錠していない部屋は人が存在していなかったと判断することができ、内部を確認する必要がないため、確認作業の効率を向上することができる。
【０１１０】
以上、本発明を第１〜第４の実施の形態を用いて説明してきたが、上述した実施の形態に多様な変更または改良を加えることができる。なお、上述した第１〜第４の実施の形態、および変形例において説明した構成や機能は、自由に組み合わせることができる。
【図面の簡単な説明】
【０１１１】
【図１】第１の実施の形態にかかる監視システムの構成を示すブロック図である。
【図２】画像制御装置と監視センタが行う画像情報送信処理手順を示すフローチャートである。
【図３】画像制御装置と監視センタが行う差分画像情報送信処理手順を示すフローチャートである。
【図４】画像制御装置と監視センタが行うサムネイル画像情報送信処理手順を示すフローチャートである。
【図５】第２の実施の形態にかかる監視システムの構成を示すブロック図である。
【図６】入退室管理装置、監視センタが行う入退室情報送信処理手順を示すフローチャートである。
【図７】第３の実施の形態にかかる監視システムの構成を示すブロック図である。
【図８】警備装置と監視センタが行う警備状態・検知情報送信処理手順を示すフローチャートである。
【図９】第４の実施の形態にかかる監視システムの構成を示すブロック図である。
【図１０】警備状態記憶部のデータ構成の一例を示す説明図である。
【図１１】避難経路記憶部のデータ構成の一例を示す説明図である。
【図１２】警備装置が行う避難経路確保処理手順を示すフローチャートである。
【符号の説明】
【０１１２】
１０  ２０  ３０  ４０  監視システム
１００  画像制御装置
１１０  監視カメラ
１２１  画像情報受信部
１２２  画像情報記憶部
１２３  送信判定部
１２４  差分画像生成部
１２５  サムネイル画像生成部
１２６  送受信部
２００  ６００  ８００  １０００  監視センタ
２０１  送受信部
２０２  画像情報記憶部
２０３  操作表示制御部
２０４  操作表示部
３００  サーバ装置
４００  ネットワーク
５００  入退室管理装置
５１０  カードリーダ
５２１  入退室情報受信部
５２２  入退室情報記憶部
５２４  滞在人数算出部
６０２  入退室情報記憶部
７００  ９００  警備装置
７１０  センサ
７２１  検知情報受信部
７２２  検知情報記憶部
７２７  ９２７  警備状態記憶部
７２８  操作パネル制御部
７２９  操作パネル部
７３１  表示灯制御部
７３２  表示灯
８０２  警備状態記憶部
８０５  検知情報記憶部
９１０  電気錠
９２０  照明
９３０  避難経路記憶部
９３１  電気錠制御部
９３２  照明制御部
９３３  判定部
【図１】
0005090935.tif 000002
【図２】
0005090935.tif 000003
【図３】
0005090935.tif 000004
【図４】
0005090935.tif 000005
【図５】
0005090935.tif 000006
【図６】
0005090935.tif 000007
【図７】
0005090935.tif 000008
【図８】
0005090935.tif 000009
【図９】
0005090935.tif 000010
【図１０】
0005090935.tif 000011
【図１１】
0005090935.tif 000012
【図１２】
0005090935.tif 000013